(57)【特許請求の範囲】
【請求項１】
所定ピッチに配置した縦横の鋼線を各交点で溶着して形成した複数の桝目格子面を有する桝目格子体を、任意の桝目格子面における鋼線交点位置で固定金具を用いて取付基体に対して添設乃至架設するように固定した桝目格子体の固定構造であって、上記固定金具を、上記取付基体に対接固定する幅方向に一対の固定片と、該一対の固定片から正面側に断面Ｕ字状に突出した突出基部と、上記突出基部からそれぞれ正面側に突出して上記縦横一方の鋼線を上記突出基部との間の開口から挿入することによって該縦横一方の鋼線を遊嵌状に被嵌支持する離隔一対の鋼線遊嵌受入れ自在の鋼線支持片と、該鋼線支持片間にあって上記縦横他方の鋼線を受入れる鋼線支持片と直交する鋼線受入溝を備え、上記突出基部の幅方向中間位置に、鋼線の受入又はその逃げスペースをなす凹溝を配置して形成し、上記取付基体に固定片を対接固定した固定金具の離隔一対の鋼線支持片に該鋼線支持片に平行な縦横一方の鋼線を遊嵌状に被嵌支持し、該鋼線と直交する縦横他方の鋼線を、上記縦横一方の鋼線の正面側で上記鋼線受入溝に受入れ配置し又は上記縦横一方の鋼線の背面側で突出基部との間に受入れ配置することによって上記固定金具による固定を行ってなり、上記固定金具は、上記取付基体に少なくとも上下方向に複数取り付けられるとともに、上位側と下位側とでは、上記突出基部との間の開口が互いに逆向きに開口するように上記取付基体に取り付けられることを特徴とする桝目格子体の固定構造。
【請求項２】
上記桝目格子体を、１面を開口とした５面の桝目格子面又は開口不存在の６面の桝目格子面を有するパネル状乃至ボックス状に形成し、該桝目格子体の任意の対向する桝目格子面を上記固定金具によってそれぞれ複数個所で固定してなることを特徴とする請求項１に記載の桝目格子体の固定構造。
【請求項３】
所定ピッチに配置した縦横の鋼線を各交点で溶着して複数の桝目格子面を有する桝目格子体を、桝目格子面における縦横双方の任意の交点位置で取付基体に対して固定するように用いる固定金具であって、上記取付基体に対接固定する幅方向一対の固定片と、該幅方向一対の固定片から正面側に断面Ｕ字状に突出した突出基部と、上記突出基部からそれぞれ正面側に突出して上記縦横一方の鋼線を上記突出基部との間の開口から挿入することによって該縦横一方の鋼線を遊嵌状に被嵌支持する離隔一対の鋼線支持片と、該鋼線支持片間にあって上記縦横他方の鋼線を受入れる鋼線支持片と直交する鋼線受入溝を備え、上記突出基部の幅方向中間位置に、鋼線の受入又はその逃げスペースをなす凹溝を配置してなり、上記取付基体に少なくとも上下方向に複数取り付けられるとともに、上位側と下位側とでは、上記突出基部との間の開口が互いに逆向きに開口するように上記取付基体に取り付けられることを特徴とする桝目格子体の固定金具。
【請求項４】
上記鋼線支持片を、上記突出基部との間の開口を口狭に形成した湾曲部と、該湾曲部の先端から正面側に傾斜突出した鋼線受入ガイドを備えて形成してなることを特徴とする請求項３に記載の桝目格子体の固定金具。
【発明の詳細な説明】
【技術分野】
【０００１】
本発明は、縦横の鋼線を各交点で溶着した桝目格子体を、壁面、枠体等の取付基体構に固定するに用いる桝目格子体の固定構造に関し、また、これに用いる桝目格子体の固定金具に関する。
【背景技術】
【０００２】
所定ピッチに配置した縦横の鋼線を各交点で溶着して形成した桝目格子体は、例えば、上下端に断面半円形、円形、四角形等適宜形状の胴縁を配置した、公共施設、工場等の屋外仕切り用に用いられるグリッドフェンスが知られており、下記の特許文献１によれば、その取付基体、即ち、支柱への固定の構造は、該支柱の上端を塞ぐ支柱キャップにその下端から正面側に突出配置した上向きフック状の固定金具を用い、該固定金具に上記グリッドフェンスにおける上位胴縁の下方位置の横線を引掛状に受け入れるとともに上記支柱の中間位置複数個所にフックボルトを貫通設置して正面側に突出したフックにグリッドフェンス中間位置の横線を受け入れて、該支柱の背面側に突出したボルト軸に締着したナットの定位置回転によって該フックを支柱側に引寄せることによって、これを行なうものとされている。
【先行技術文献】
【特許文献】
【０００３】
【特許文献１】特開２００１−２０７６９３号公報
【発明の概要】
【発明が解決しようとする課題】
【０００４】
桝目格子体は上記グリッドフェンスとして用いられるが、該桝目格子体を、複数の桝目格子面を有するように桝目格子体を形成し、その任意の桝目格子面を、壁面や枠体等の取付基体に添設乃至架設するように配置することによって、該桝目格子体は、例えば、スクリーン部材とし、蔓を這わせる日除け部材とし、同じく蔓を這わせる水平の屋根部材とし、植物の鉢や鉱石を載置する装飾部材、厚みを有する仕切り部材等として使用するエクステリア用の部材として使用することが可能となる。
【０００５】
この場合、桝目格子体は、取付基体に固定する桝目格子面は、桝目格子体における複数のいずれかの面となるが、該桝目格子面は、縦横の鋼線を各交点で溶着して形成したものとされるから、任意の１面に対して交差するように折曲した交差面は、例えば、上記グリッドフェンスのように、表面側に縦桟、背面側に横桟が位置する場合と、取付基体への固定に際して桝目格子体を１／４円回動することにより表面側に横桟、背面側に縦桟が位置する場合の双方が生じることになる。従って、固定の態様によって桝目格子体の交点における縦横の鋼線の表裏位置、即ち、正面側及び背面側の位置が逆転するとともに該鋼線位置の逆転に伴って固定対象とする鋼線の取付基体からの距離が、鋼線１本の太さ分、例えば数ｍｍ程度異なることになるから、このように複数の桝目格子面を有して、その任意の桝目格子面を取付基体へ固定するように用いる桝目格子体については、該縦横の鋼線位置の逆転と、これによる取付基体との距離の相違を前提にして、取付基体に対して添設乃至架設し得るようにした固定の構造を採用することが求められる。
【０００６】
また、上記フックボルトの固定金具は、桝目格子体の固定位置毎に取付基体に対してフックボルトを挿通する貫通孔を透設する必要があるとともにナットの回転によって該フックボルトを取付基体側に引寄せる必要があるから、桝目格子体の固定作業が煩雑化する傾向があるとともに良好な外観が得難いといった問題点があり、上記桝目格子体の固定金具として、可及的簡易且つ確実に固定作業をなし得るとともに良好な外観と安定した固定納まりを得られるようにしたものとすることが求められる。
【０００７】
本発明はかかる事情に鑑みてなされたもので、その解決課題とするところは、上記縦横の鋼線位置の逆転と、これによる取付基体との距離の相違を前提にして、複数のうちの任意の桝目格子面を取付基体に対して添設乃至架設し得るようにするとともにその作業を可及的簡易且つ確実になし得て、良好な外観と安定した固定納まりをなし得るようにした桝目格子体の固定構造を提供するにあり、また、該桝目格子体の固定に適し、該固定作業を可及的簡易且つ確実になし得るとともに良好な外観と桝目格子体の安定した固定納まりを得られる固定金具を提供するにある。
【課題を解決するための手段】
【０００８】
上記課題に沿って本発明は、壁面、枠体等の取付基体に、例えば、ネジ固定するように対接固定する一対の固定片と、該固定片間に断面Ｕ字状とすることによって強度を確保した突出基部と、この突出基部から正面側に並列するように突出して縦横一方の鋼線を遊嵌して被嵌支持する一対の鋼線支持片と、該鋼線支持片間に配置して縦横他方の鋼線を受入れ自在とした鋼線受入溝を備えた固定金具を用いて、取付基体に固定片を対接固定した該固定金具の上記鋼線支持片に、溶着した交点においてその縦横一方の鋼線を遊嵌支持するとともに縦横他方の鋼線を、該縦横一方の鋼線の正面側に位置するとき、これを、上記鋼線受入溝に受入れ、背面側に位置するとき、鋼線支持片と突出基部間の空隙に受入れるようにして、一対の鋼線支持片による縦横一方の鋼線の安定支持とその正面側又は背面側に位置する縦横他方の鋼線の受入れによって上記縦横の鋼線位置の逆転とこれによる取付基体の距離の相違を吸収して、複数のうちの任意の桝目格子面を取付基体に対して外観良好且つ安定した添設乃至架設をなし得るようにしたものであって、即ち、請求項１に記載の発明を、所定ピッチに配置した縦横の鋼線を各交点で溶着して形成した複数の桝目格子面を有する桝目格子体を、任意の桝目格子面における鋼線交点位置で固定金具を用いて取付基体に対して添設乃至架設するように固定した桝目格子体の固定構造であって、上記固定金具を、上記取付基体に対接固定する幅方向に一対の固定片と、該一対の固定片から正面側に断面Ｕ字状に突出した突出基部と、上記突出基部からそれぞれ正面側に突出して上記縦横一方の鋼線を上記突出基部との間の開口から挿入することによって該縦横一方の鋼線を遊嵌状に被嵌支持する離隔一対の鋼線遊嵌受入れ自在の鋼線支持片と、該鋼線支持片間にあって上記縦横他方の鋼線を受入れる鋼線支持片と直交する鋼線受入溝を備え、上記突出基部の幅方向中間位置に、鋼線の受入又はその逃げスペースをなす凹溝を配置して形成し、上記取付基体に固定片を対接固定した固定金具の離隔一対の鋼線支持片に該鋼線支持片に平行な縦横一方の鋼線を遊嵌状に被嵌支持し、該鋼線と直交する縦横他方の鋼線を、上記縦横一方の鋼線の正面側で上記鋼線受入溝に受入れ配置し又は上記縦横一方の鋼線の背面側で突出基部との間に受入れ配置することによって上記固定金具による固定を行ってなり、上記固定金具は、上記取付基体に少なくとも上下方向に複数取り付けられるとともに、上位側と下位側とでは、上記突出基部との間の開口が互いに逆向きに開口するように上記取付基体に取り付けられることを特徴とする桝目格子体の固定構造としたものである。
【０００９】
請求項２に記載の発明は、上記に加えて、上記複数の桝目格子面を有する桝目格子体を、開口を配置し又は開口のないパネル状乃至ボックス状として形成し、上記スクリーン部材、日除け部材、装飾部材、仕切り部材等の様々な形態のエクステリア用の部材として用い得るものとするように、これを、上記桝目格子体を、１面を開口した５面の桝目格子面又は開口不存在の６面の桝目格子面を有するパネル状乃至ボックス状に形成し、該桝目格子体の任意の対向する桝目格子面を上記固定金具によってそれぞれ複数個所で固定してなることを特徴とする請求項１に記載の桝目格子体の固定構造としたものである。
【００１０】
請求項３に記載の発明は、上記複数の桝目格子面を有する桝目格子体を、取付基体に添設乃至架設固定するに適し、該固定作業を可及的簡易且つ確実になし得るとともに良好な外観と桝目格子体の安定した固定納まりを得られ且つ可及的簡易な構造として、例えば、プレス成形や一体成形によって形成し得る固定金具を提供するように、これを、所定ピッチに配置した縦横の鋼線を各交点で溶着して複数の桝目格子面を有する桝目格子体を、桝目格子面における縦横双方の任意の交点位置で取付基体に対して固定するように用いる固定金具であって、上記取付基体に対接固定する幅方向一対の固定片と、該幅方向一対の固定片から正面側に断面Ｕ字状に突出した突出基部と、上記突出基部からそれぞれ正面側に突出して上記縦横一方の鋼線を上記突出基部との間の開口から挿入することによって該縦横一方の鋼線を遊嵌状に被嵌支持する離隔一対の鋼線支持片と、該鋼線支持片間にあって上記縦横他方の鋼線を受入れる鋼線支持片と直交する鋼線受入溝を備え、上記突出基部の幅方向中間位置に、鋼線の受入又はその逃げスペースをなす凹溝を配置してなり、上記取付基体に少なくとも上下方向に複数取り付けられるとともに、上位側と下位側とでは、上記突出基部との間の開口が互いに逆向きに開口するように上記取付基体に取り付けられることを特徴とする桝目格子体の固定金具としたものである。
【００１２】
請求項４に記載の発明は、同じく上記に加えて、上記鋼線支持片を、上記縦横一方の鋼線を遊嵌支持することによる安定した取付基体への固定をなし得るとともにこれに固定した桝目格子体が外れたりする可能性を解消したものとするように、これを、上記鋼線支持片を、上記突出基部との間の開口を口狭に形成した湾曲部と、該湾曲部の先端から正面側に傾斜突出した鋼線受入ガイドを備えて形成してなることを特徴とする請求項３に記載の桝目格子体の固定金具としたものである。
【００１３】
本発明はこれらをそれぞれ発明の要旨として上記課題解決の手段としたものである。
【発明の効果】
【００１４】
本発明は以上のとおりに構成したから、請求項１に記載の発明は、壁面、枠体等の取付基体に、例えば、ネジ固定するように対接固定する一対の固定片と、該固定片間に断面Ｕ字状とすることによって強度を確保した突出基部と、この突出基部から正面側に並列するように突出して縦横一方の鋼線を遊嵌して被嵌支持する一対の鋼線支持片と、該鋼線支持片間に配置して縦横他方の鋼線を受入れ自在とした鋼線受入溝を備えた固定金具を用いて、取付基体に固定片を対接固定した該固定金具の上記鋼線支持片に、溶着した交点においてその縦横一方の鋼線を遊嵌支持するとともに縦横他方の鋼線を、該縦横一方の鋼線の正面側に位置するとき、これを、上記鋼線受入溝に受入れ、背面側に位置するとき、鋼線支持片と突出基部間の空隙に受入れるようにして、一対の鋼線支持片による縦横一方の鋼線の安定支持とその正面側又は背面側に位置する縦横他方の鋼線の受入れによって上記縦横の鋼線位置の逆転とこれによる取付基体の距離の相違を吸収して、複数のうちの任意の桝目格子面を取付基体に対して外観良好且つ安定した添設乃至架設をなし得るようにした桝目格子体の固定構造を提供することができる。また、上記に加えて、取付基体に桝目格子面を固定するに際して、上記縦横一方の鋼線の背面側に縦横他方の鋼線があるとき、該縦横他方の鋼線の受入れを可及的スムーズ且つ確実になし得るものとすることができる。
【００１５】
請求項２に記載の発明は、上記に加えて、上記複数の桝目格子面を有する桝目格子体を、開口を配置し又は開口のないパネル状乃至ボックス状に形成し、上記スクリーン部材、日除け部材、装飾部材、仕切り部材等の様々な形態のエクステリア用の部材として用い得るものとすることができる。
【００１６】
請求項３に記載の発明は、上記複数の桝目格子面を有する桝目格子体を、取付基体に添設乃至架設固定するに適し、該固定作業を可及的簡易且つ確実になし得るとともに良好な外観と桝目格子体の安定した固定納まりを得られ且つ可及的簡易な構造として、例えば、プレス成形や一体成形によって形成し得る固定金具を提供することができる。
【００１８】
請求項４に記載の発明は、同じく上記に加えて、上記鋼線支持片を、上記縦横一方の鋼線を遊嵌支持することによる安定した取付基体への固定をなし得るとともにこれに固定した桝目格子体が外れたりする可能性を解消したものとすることができる。
【図面の簡単な説明】
【００１９】
【図１】壁面に添設した桝目格子体の正面図である。
【図２】図１の平面図である。
【図３】図１の上位の固定部分の拡大図である。
【図４】図２の上位の固定部分の拡大図である。
【図５】枠体に水平に架設した桝目格子体の底面図である。
【図６】図５の側面図である。
【図７】図５の固定部分の拡大図である。
【図８】図６の固定部分の拡大図である。
【図９】支柱間に垂直に架設した桝目格子体の正面図である。
【図１０】図９の平面図である。
【図１１】図９の上位の固定部分の拡大図である。
【図１２】図９の下位の固定部分の拡大図である。
【図１３】図１２の固定部分の平面図である。
【図１４】固定金具の正面図である。
【図１５】固定金具の側面図である。
【図１６】固定金具の平面図である。
【発明を実施するための形態】
【００２０】
以下図面の例に従って本発明を更に具体的に説明すれば、図中Ａは、例えば、玄関、庭等の住宅や公共施設、工場等にそのエクステリア用の部材として用いるようにした桝目格子体であり、図１乃至図４は、該桝目格子体Ａを、取付基体３の壁面に対して垂直に添設固定して装飾部材とした例、図５乃至図８は、桝目格子体Ａを、取付基体３の枠体に水平に架設固定して屋根部材とした例、図９乃至図１２は、上下２枚の桝目格子体Ａを、取付基体３の支柱間に垂直に架設固定してスクリーン乃至仕切り部材とした例であり、これら桝目格子体Ａの上記壁面、枠体乃至支柱の取付基体３に対する添設乃至架設固定は、図１３乃至図１５に示す固定金具２を用いて、これを行ったものとしてある。
【００２１】
桝目格子体Ａは、所定ピッチに配置した縦横の鋼線１１を各交点で溶着して形成した複数の桝目格子面１を有するものとしてあり、本例にあって該桝目格子体Ａは、例えば、高さを４５ｃｍ、６０ｃｍ又は９０ｃｍ程度とし、幅を９０ｃｍ又は１８０ｃｍ程度、奥行を９ｃｍ程度の複数種のものとして、いずれもその１面を複数区分の開口１２とした５面の桝目格子面１を有してパネル状乃至ボックス状、本例にあってはパネル状に形成したものとしてある。
【００２２】
即ち、桝目格子体Ａは、数ｍｍ径の鋼線、例えば３ｍｍ径の線材に０．５ｍｍ程度の合成樹脂をコーティングしたものを用いて、該鋼線１１を上下左右に、例えば５ｃｍピッチで縦横に配置してその各交点においてスポット溶接を施すとともにその外周３端部を、上記開口１２の１面を除く３つの側面に向けて折曲し、上記５ｃｍの方形の桝目を連続的に配置した前後２面と側面３面の桝目格子面１を備えることによって、側面１面を開口１２とした上記パネル状の形態をなすものとしてある。
【００２３】
このとき、本例にあって該桝目格子体Ａは、外周前後中央位置で半割り状とするように外周３端部を折曲した前後に２等分の格子部材を形成した後、該前後に２等分の格子部材を、その端部に位置する鋼線を相互に突合せて、該端部の鋼線１１同士を長手方向所定ピッチで一体的に固定、例えば溶着することによって、その生産を行うようにしてあり、従って、本例の桝目格子体Ａにおける外周の側面３面は、その前後中央位置に２本の鋼線１１を前後に並列して配置したものとしてある。
【００２４】
また、本例にあって該桝目格子体Ａは、その前後２面の桝目格子面１間の複数箇所に補強格子面１３を介設してあり、本例にあって該補強格子面は、例えば、上記高さ方向に数十ｃｍ毎に前後２面の桝目格子面１の鋼線１１と位置を１／２幅変位して該鋼線１１と直交するように配置した同ピッチ前後の鋼線１１と該前後の鋼線１１に上記ピッチの１／２の２．５ｃｍピッチで前後２面の桝目格子面１と平行に配置した複数、例えば３本の鋼線１１によってこれを形成してある。
【００２５】
このとき該補強格子面１３は、上記側面１面の開口１２側においては、その近傍、例えば開口端から１０乃至１５ｃｍ程度入った位置にこれを配置することによって、該補強格子面１３を該開口１２の底板として兼用するように配置してあり、これによって、該開口１２を上向きになるように取付基体３に固定したとき、例えば、該底板に鉢植２を載置して該開口１２を鉢植えの収納溝として使用し得るようにしてある。
【００２６】
このように形成した複数の桝目格子面１、本例にあっては５面の桝目格子面を有する桝目格子体Ａは、上記固定金具２を用いて、図示するように各取付基体３に添設乃至架設するように固定するものとしてあり、このとき該固定金具２は、これを、上記取付基体３に対接固定する幅方向に一対の固定片２１と、該一対の固定片２１から正面側に断面Ｕ字状に突出した突出基部２２と、上記突出基部２２からそれぞれ正面側に突出した離隔一対の鋼線遊嵌受入れ自在の鋼線支持片２５と、該鋼線支持片２５間にあって上記縦横他方の鋼線１１を受入れる鋼線支持片２５と直交する鋼線受入溝２８を備えて形成してあり、このとき本例の固定金具２は、上記突出基部２２の幅方向中間位置に、鋼線１１の受入又はその逃げスペースをなす凹溝２３を配置し、また、上記鋼線支持片２５を、上記突出基部２２との間の開口２６を口狭に形成した湾曲部と、該湾曲部の先端から正面側に傾斜突出した鋼線受入ガイド２７を備えて形成したものとしてある。
【００２７】
固定金具２は、１乃至２ｍｍ程度の肉厚の金属板、本例にあっては１．５ｍｍの肉厚のステンレス板を用い、これにプレス加工を施すことによって形成した一体のものとして、例えば、図１３において横幅を５乃至６ｃｍ程度、高さを２ｃｍ程度、奥行を同じく２ｃｍ程度の金属部材として、これを形成してある。
【００２８】
このとき、各固定片２１は、幅を１ｃｍ程度、高さを１．５〜２ｍｍ程度の小面積にして面内中間にネジ用の透孔を透設してあり、突出基部２２は、幅を５ｃｍ程度、高さを固定片２１と同じにして、正面側への突出幅を１ｃｍ程度とし、本例にあってその幅方向中央位置に幅を１ｃｍ弱として、背面側に円弧状に数ｍｍ程度の深さに凹陥した上記凹溝２３を図上縦方向一連に配置したものとしてある。
【００２９】
鋼線支持片２５は、突出基部２２の下端から幅方向に離隔して正面側下方に、例えば１ｃｍ程度の径にして１〜１．５ｃｍ程度の幅で湾曲突出して、該突出基部２２の下端に対して湾曲降下して内側位置に半円状に円弧面をなす受溝を形成したものとしてあり、このとき、該鋼線支持片２５の先端を突出基部２２側に戻すように傾斜突出し、該突出基部２２との間に数ｍｍ、本例にあっては５ｍｍ程度の幅として開口２６を口狭とし、更に、該口狭の開口２６から正面側上方に向けて突片を傾斜突出することによって上記鋼線受入ガイド２７を配置したものとしてある。上記鋼線支持片２５と鋼線受入ガイド２７は、例えば、その高さを１．５〜２ｍｍ程度として、鋼線支持片２５を降下した分、鋼線受入ガイド２７の先端が突出基部２２から降下して位置するように配置したものとしてある。
【００３０】
鋼線受入溝２８は、正面側から該鋼線支持片２５を突出基部２２に至るように、鋼線支持片２５の幅方向中央位置を、例えば幅を１ｃｍ弱として該鋼線支持片２５間を開放するように配置してあり、本例にあって該鋼線受入溝２８は、突出基部の上記凹溝２３と幅方向同一位置に重なるように配置してある。図中２４は、上記凹溝２３配置の突出基部２２中央位置下端部を部分的に切り欠いて桝目格子体Ａにおける縦横の鋼線１１交点との干渉を避けるように配置した切欠部である。
【００３１】
該固定金具２による上記桝目格子体Ａの固定は、上記取付基体３に固定片２１を対接固定した固定金具２の離隔一対の鋼線支持片２５に該鋼線支持片２５に平行な縦横一方の鋼線１１を遊嵌状に被嵌支持し、該鋼線１１と直交する縦横他方の鋼線１１を、上記縦横一方の鋼線１１の正面側で上記鋼線受入溝２８に受入れ配置し又は上記縦横一方の鋼線１１の背面側で突出基部２２との間に受入れ配置することによって、これを行ったものとしてある。
【００３２】
桝目格子体Ａの固定に際して固定金具２は、桝目格子体Ａ毎に、図１乃至図４の例のように取付基体３を壁面とするときは、該壁面の面内上下及び左右に合計４箇所用い、図５乃至図８及び図９乃至図１３の例のように取付基体３を枠体とするときは、対向する枠体の長手方向２箇所に合計４箇所用いる如くに、桝目格子体Ａの面積、重量に応じて適宜箇所数を用いて、桝目格子体Ａの交点でその固定を行うものとしてある。
【００３３】
このとき図１乃至図４の例は、取付基体３の上記壁面に対して、鋼線支持片２５の開口２６を上位側で下向き、下位側で上向きとするように配置し、図５乃至図８の例は、取付基体３の枠体、例えば各支柱支持によって対向する対向枠の対向する水平の横面左右に、同じく鋼線支持片２５の開口２６をそれぞれ上向きとするように配置し、図９乃至図１３の例は、取付基体３の各支柱の対向する垂直の縦面上下に、上位側で鋼線支持片２５の開口２６を下向きとし、下位側で該開口２６を上向きとするように配置して、それぞれ上記桝目格子体Ａの固定を行うようにしてある。
【００３４】
固定金具２は、各固定片２１を、その透孔を介してネジ４を取付基体３に螺入することによって該取付基体３にネジ固定してあり、これによって該固定金具２は、取付基体３から突出基部２２及び鋼線支持片２５を正面側に突出配置して、上記桝目格子体Ａの固定を行うものとしてある。該桝目格子片Ａの固定は、該固定金具２の上記離隔一対の鋼線支持片２５と鋼線受入溝２８によって桝目格子面１の交点を支持するように、鋼線支持片２５に対してこれと平行な縦横一方の鋼線１１を、その上記幅狭の開口２６から上記受溝に落し込み状として、該縦横一方の鋼線１１を受入れ支持し、鋼線支持片２５に直交する縦横他方の鋼線１１を上記鋼線受入溝２８に受入れ配置するか、突出基部２２との間に受入れ配置するものとしてある。
【００３５】
即ち、図１乃至図４の取付基体３を壁面として前後の桝目格子面１を固定したものにあっては、図４に示すように、その桝目格子面１における取付基体３側には、縦横の鋼線１１のうちの横線が位置し、該桝目格子面１の外側（パネル状桝目格子体としてみればその内側。以下同じ）に縦線が位置し、図５乃至図８の取付基体３を枠体として側面の桝目格子面１、本例にあっては開口面における前後の桝目格子面１の端部を固定したものにあっては、その桝目格子面１における取付基体３側には、縦横の鋼線１１のうちの縦線が位置し、その外側に横線が位置し、図９乃至図１３の取付基体３を同じく枠体としたものにあっては、その桝目格子面１の取付基体３側には横線が位置し、その外側に、上記接合した２本の縦線が位置する如くに、縦横の鋼線１１を各交点で溶着した桝目格子面１を有する桝目格子体Ａにあっては、その取付基体３に対して固定金具２を垂直面に設置するか、水平面に設置するか、該固定金具に対して固定する桝目格子面１をどの面とするか等の条件によって、縦横の鋼線１１位置が取付基体３側とその外側で逆転し、また、縦横の鋼線１１の内外の相対的位置が異なることになるし、図示を省略したが、上記逆転は、桝目格子面１毎に鋼線配置の構成を違えたとき、桝目格子面１を共通に構成しても、固定する桝目格子面１を１／４円回動した場合にも同様に生じるに至る。
【００３６】
従って、鋼線支持片２５に平行な縦横一方の鋼線１１を固定の対象とするも、該鋼線１１は横線の場合と縦線の場合とが生じ、また、該一方の鋼線１１に対して直交する他方の鋼線１１が内側の場合と外側の場合が生じるので、該桝目格子体Ａの固定に当って、上記直交する他方の鋼線１１については、上記外側に位置するときは、これを鋼線受入溝２８に受入れ配置し、内側、即ち、突出基部２２側に位置するときは、これを上記一方の鋼線１１の背面で、突出基部２２との間に受入れ配置するものとしてある。
【００３７】
このように固定金具２によって桝目格子体Ａを固定するについて、本例にあって桝目格子面１を構成する鋼線１１は、上記４ｍｍ程度のものとしてあるところ、上記鋼線支持片２５の口狭の開口２６は５ｍｍ程度、鋼線支持片２５の湾曲部の径は１ｃｍ程度であるから、鋼線支持片２５に対する縦横一方、即ち、これに平行な鋼線１１は、開口２６に生じる１ｍｍ程度の余裕によって比較的スムーズな落し込み状の受入れによってその被嵌支持を行うことができ、該鋼線１１の被嵌支持は、鋼線支持片２５の湾曲部の受溝に対して遊嵌状になされることによって、鋼線１１を被嵌支持した状態で、鋼線支持片２５には相当程度の余裕スペースが生じるから、該鋼線支持片２５に直交する他方の鋼線１１が、上記内側の突出基部２２側に位置するときも、これを該突出基部２２との間に確実に受入れ配置することができる。また、突出基部２２の凹溝２３及び鋼線受入溝２８の幅は、それぞれ鋼線１１の径の２倍乃至それ以上の１ｃｍ弱程度としてあり、上記凹溝２３は直交する側の鋼線１１の受入又はその逃げスペースをなすことによって、鋼線１１の落し込み状の受入れをスムーズ且つ確実に行うことができ、また、該凹溝２３及び鋼線受入溝２８に縦横他方の鋼線１１を余裕を以って受入れ配置することができるとともに、図１３に示すように、上記桝目格子体Ａの形成による接合部位に２本の鋼線１１があるときであっても、同様にこれを受入れ配置することができる。
【００３８】
上記固定金具２で取付基体３に固定した桝目格子体Ａは、図５乃至図８のものにあっては、それぞれ鋼線支持片２５の開口２６を上向きとしたから、各固定金具２によって、桝目格子体Ａを下支え支持するようにして、その設置を行い、図１乃至図４及び図９乃至図１３のものにあっては、鋼線支持片２５の開口２６を上向きとした下位の固定金具２によって桝目格子体Ａを下支えするとともに、該開口２６を下向きとした上位の固定金具２によって、桝目格子体Ａを倒れ止め支持するようにして、その設置を行ったものとしてあり、いずれも良好な外観と安定した固定納まりを確保したものとすることができる。また、桝目格子体Ａの設置は、取付基体２の所定箇所に固定金具２をそれぞれネジ４固定して、これに桝目格子体Ａにおける縦横の鋼線１１の交点を引掛係止する如くに落し込み状の固定を行うことによってなし得るから、その作業を簡易になし得るとともに固定金具２に対する良好にして安定した固定納まりを確保したものとすることができる。また、固定金具２は、一対の固定片２１間に断面Ｕ字状の突出基部２２を配置し、該突出基部２２に鋼線支持片２５を配置したから、全体としてコンパクトな部材としてこれを形成し得るとともに該突出基部２２によって金具強度を確保して、鋼線１１を用いた桝目格子体Ａ用の固定金具２としてその安定した支持を行うものとすることができる。
【００３９】
取付基体３に固定した桝目格子体Ａは、その桝目格子面１に、例えば植物の蔓を這わせて日除け機能を付加し、桝目格子面に装飾物を吊支持し、図９乃至図１３のスクリーン乃至仕切りのように上下２枚の桝目格子体Ａを同時に固定したものにあっては、該２枚の桝目格子体Ａの開口１２を上向きに配置するとともに上下間に間隔を置くことによって、その底板兼用の補強格子面１３に植木鉢を支持するように載置し、また、必要に応じて、下面に位置する桝目格子面１を地表に載置して、その荷重支持を行うようにして、桝目格子体Ａの内部に、岩石その他適宜な充填物を充填配置して目隠し乃至透視防止の機能を付加することもできる。更に、桝目格子体Ａは、上記垂直又は水平の他、傾斜配置するように用い、また、上記仕切りを連続配置してフェンスとして用いる等、その形態及び用途を各種のものとすることができる。
【００４０】
本発明の実施に当って、これらを含めて、桝目格子体、桝目格子面、取付基体、固定金具、固定片、突出基部、鋼線支持片、鋼線受入溝、必要に応じて用いる突出基部の凹溝、口狭の開口、鋼線受入ガイド等の各具体的形状、構造、材質、用途、これらの関係、これらに対する付加等は、上記発明の要旨に反しない限り様々な形態のものとすることができる。
【符号の説明】
【００４１】
Ａ  桝目格子体
１  桝目格子面
１１  鋼線
１２  開口
１３  補強格子面
２  固定金具
２１  固定片
２２  突出基部
２３  凹溝
２４  切欠部
２５  鋼線支持片
２６  開口
２７  鋼線受入ガイド
２８  鋼線受入溝
３  取付基体
４  ネジ
【図１】
0005491849.tif 000002
【図２】
0005491849.tif 000003
【図３】
0005491849.tif 000004
【図４】
0005491849.tif 000005
【図５】
0005491849.tif 000006
【図６】
0005491849.tif 000007
【図７】
0005491849.tif 000008
【図８】
0005491849.tif 000009
【図９】
0005491849.tif 000010
【図１０】
0005491849.tif 000011
【図１１】
0005491849.tif 000012
【図１２】
0005491849.tif 000013
【図１３】
0005491849.tif 000014
【図１４】
0005491849.tif 000015
【図１５】
0005491849.tif 000016
【図１６】
0005491849.tif 000017